(57)【要約】【課題】処理室内に動物等の生物が存在している場合であっても、当該生物へのオゾンの悪影響を低減しつつ処理室内の臭気を除去する。【解決手段】光脱臭装置１００は、臭気の原因物質を含む被処理気体に紫外線を照射し、臭気の原因物質を除去する。この光脱臭装置１００は、真空紫外光（ＶＵＶ光）を発光する第１の光源と、真空紫外光を含まない深紫外光（ＤＵＶ光）を発光する第２の光源と、を備える。第１の光源および第２の光源は、第１の光源から放出される光によって臭気の原因物質を分解する１重項酸素原子（Ｏ（１Ｄ））が生成される生成空間の外部であって、当該生成空間に空間的に接続された外部空間の少なくとも一部が、第２の光源から放出される光が到達する到達空間に含まれるように配置されている。【選択図】      図１
2019076481.tif 000002
【特許請求の範囲】
【請求項１】
臭気の原因物質を含む被処理気体に紫外線を照射し、前記臭気の原因物質を除去する光脱臭装置であって、
真空紫外光を発光する第１の光源と、
前記真空紫外光を含まない深紫外光を発光する第２の光源と、を備え、
前記第１の光源および前記第２の光源は、
前記第１の光源から放出される光によって前記臭気の原因物質を分解する１重項酸素原子が生成される生成空間の外部であって、前記生成空間に空間的に接続された外部空間の少なくとも一部が、前記第２の光源から放出される光が到達する到達空間に含まれるように配置されていることを特徴とする光脱臭装置。
【請求項２】
前記第１の光源および前記第２の光源は、
前記生成空間と前記到達空間とが近接するように配置されていることを特徴とする請求項１に記載の光脱臭装置。
【請求項３】
前記第１の光源および前記第２の光源は、
前記生成空間と前記到達空間とが接しないように配置されていることを特徴とする請求項１または２に記載の光脱臭装置。
【請求項４】
前記生成空間と前記到達空間とを区画する区画部材をさらに備えることを特徴とする請求項３に記載の光脱臭装置。
【請求項５】
前記第１の光源から放出される光および前記第２の光源から放出される光の少なくとも一方を所定の方向に反射し、前記生成空間と前記到達空間との位置関係を形成する反射部材をさらに備えることを特徴とする請求項１から４のいずれか１項に記載の光脱臭装置。
【請求項６】
前記真空紫外光は、波長１７５ｎｍ以下の光であることを特徴とする請求項１から５のいずれか１項に記載の光脱臭装置。
【請求項７】
送風を行う送風部をさらに備え、
前記送風部における送風方向の上流側に前記第１の光源、下流側に前記第２の光源が配置されていることを特徴とする請求項１から６のいずれか１項に記載の光脱臭装置。
【請求項８】
前記第１の光源および前記第２の光源を収容する筐体と、
前記筐体外に存在する気体を前記筐体内に吸入するための吸入口と、
前記筐体内の気体を前記筐体外に排出するための排出口と、
前記筐体内において前記吸入口から前記排出口まで気体を流通させる気体流通部と、を備え、
前記第１の光源および前記第２の光源は、前記気体流通部における気体の流通方向の上流側に前記第１の光源、下流側に前記第２の光源が位置するように、前記筐体内に配置されていることを特徴とする請求項１から７のいずれか１項に記載の光脱臭装置。
【請求項９】
前記筐体内に形成され、前記吸入口と連通する第１の空間と、
前記筐体内に形成され、前記第１の空間および前記排出口とそれぞれ連通する第２の空間と、を備え、
前記気体流通部は、前記第１の空間内に配置され、前記吸入口から前記気体を吸入して前記第２の空間へ送風する送風部であり、
前記第１の光源および前記第２の光源は、前記送風部における送風方向の上流側に前記第１の光源、下流側に前記第２の光源が位置するように、前記第２の空間内に配置されていることを特徴とする請求項８に記載の光脱臭装置。
【請求項１０】
臭気の原因物質を含む被処理気体に紫外線を照射し、前記臭気の原因物質を除去する光脱臭方法であって、
前記被処理気体に真空紫外光を照射し、前記臭気の原因物質を分解する１重項酸素原子を生成する工程と、
前記１重項酸素原子の生成空間の外部であって、前記生成空間に空間的に接続された外部空間の少なくとも一部に、前記真空紫外光を含まない深紫外光を照射する工程と、を含むことを特徴とする光脱臭方法。
【請求項１１】
前記１重項酸素原子を生成する工程と、前記深紫外光を照射する工程とを、同時に行うことを特徴とする請求項１０に記載の光脱臭方法。
【発明の詳細な説明】
【技術分野】
【０００１】
本発明は、被処理気体に紫外線を照射することによって、当該被処理気体の臭気を除去する光脱臭装置および光脱臭方法に関する。
【背景技術】
【０００２】
従来、例えば室内の空気の臭気を除去する脱臭装置として、紫外線を照射することによって臭気を除去する脱臭装置が知られている。
特許文献１には、波長２００〜２６０ｎｍの紫外線と、波長１５０〜２００ｎｍの紫外線とを放出する紫外線照射光源を用いた脱臭装置が開示されている。この脱臭装置では、波長２００〜２６０ｎｍの紫外線を被処理気体に照射することで、被処理気体中の臭気の原因物質を分解するようにしている。また、この脱臭装置では、被処理気体に含有される酸素に波長１５０〜２００ｎｍの紫外線が照射されることで生成されるオゾンを用いて、脱臭効率を高めるようにしている。
しかしながら、オゾンは有害なガスであり、生物に対して悪影響を及ぼすおそれがある。例えば、飼育室に動物が存在する状態で上記のような脱臭装置を用いた場合、脱臭プロセスの副次物であるオゾンが飼育室内に浮遊し、飼育室内の動物がオゾンの影響を受けてしまう。
【０００３】
そこで、特許文献２には、生物に対するオゾンの悪影響を抑制するために、処理室（居住空間等）内に生物（ヒト）が存在しない状態で、処理室内に高濃度のオゾンを充満して脱臭処理を行った後、処理室内に残留するオゾンを分解する脱臭装置が開示されている。この脱臭装置では、オゾン生成用紫外線発光部材を点灯してから所定時間が経過した後に、オゾン生成用紫外線発光部材を消灯してオゾンの生成を停止するとともに、オゾン分解用紫外線発光部材を点灯し、処理室内に残留するオゾンを分解するようにしている。
【先行技術文献】
【特許文献】
【０００４】
【特許文献１】国際公開第２０１７／０８２３８０号
【特許文献２】特開２０１６−０２２２３１号公報
【発明の概要】
【発明が解決しようとする課題】
【０００５】
しかしながら、上記特許文献２に記載の技術にあっては、処理室内に生物が存在しない状態でしか、脱臭処理を行うことができない。
そこで、本発明は、処理室内に動物等の生物が存在している場合であっても、当該生物へのオゾンの悪影響を低減しつつ処理室内の臭気を除去することができる光脱臭装置および光脱臭方法を提供することを課題としている。
【課題を解決するための手段】
【０００６】
上記課題を解決するために、本発明に係る光脱臭装置の一態様は、臭気の原因物質を含む被処理気体に紫外線を照射し、前記臭気の原因物質を除去する光脱臭装置であって、真空紫外光を発光する第１の光源と、前記真空紫外光を含まない深紫外光を発光する第２の光源と、を備え、前記第１の光源および前記第２の光源は、前記第１の光源から放出される光によって前記臭気の原因物質を分解する１重項酸素原子が生成される生成空間の外部であって、前記生成空間に空間的に接続された外部空間の少なくとも一部が、前記第２の光源から放出される光が到達する到達空間に含まれるように配置されている。
【０００７】
このように、真空紫外光（ＶＵＶ光）により１重項酸素原子（Ｏ（１Ｄ））を生成するので、オゾンよりも臭気の原因物質を効果的に分解可能なＯ（１Ｄ）を用いた適切な脱臭処理が可能である。また、Ｏ（１Ｄ）の生成空間において生成されたオゾンについては、Ｏ（１Ｄ）の生成空間の外部空間において、ＤＵＶ光が照射されることにより分解することができる。つまり、光脱臭装置は、オゾンを分解しながらＯ（１Ｄ）による脱臭処理を行うことができる。したがって、処理室内に動物等の生物が存在している場合であっても、当該生物へのオゾンの悪影響を低減しつつ処理室内の臭気を除去することが可能である。
【０００８】
また、上記の光脱臭装置において、前記第１の光源および前記第２の光源は、前記生成空間と前記到達空間とが近接するように配置されていてもよい。この場合、生成空間において生成されたオゾンが広範囲に拡散される前に、当該オゾンにＤＵＶ光を照射し、分解することができる。
さらに、上記の光脱臭装置において、前記第１の光源および前記第２の光源は、前記生成空間と前記到達空間とが接しないように配置されていてもよい。この場合、生成空間中の酸素がＤＵＶ光との反応によって活性度が低いＯ（３Ｐ）が生成されて当該酸素が消費されてしまうことを防止することができる。その結果、生成空間内においてＶＵＶ光によるＯ（１Ｄ）の生成効率が低下してしまうことを防止し、高い脱臭性能を維持することができる。
また、上記の光脱臭装置は、前記生成空間と前記到達空間とを区画する区画部材をさらに備えていてもよい。この場合、生成空間と到達空間とを、重ならない（接しない）ように確実に分離することができる。
【０００９】
さらに、上記の光脱臭装置は、前記第１の光源から放出される光および前記第２の光源から放出される光の少なくとも一方を所定の方向に反射し、前記生成空間と前記到達空間との位置関係を形成する反射部材をさらに備えていてもよい。この場合、外部空間の少なくとも一部が確実にＤＵＶ光の到達空間に含まれるようにすることができ、適切に外部空間に浮遊するオゾンにＤＵＶ光を照射し、当該オゾンを分解することができる。
さらにまた、上記の光脱臭装置において、前記真空紫外光は、波長１７５ｎｍ以下の光であってもよい。波長１７５ｎｍ以下のＶＵＶ光を、酸素を含む空間に照射することで、当該空間に効率良くＯ（１Ｄ）を生成することができる。
【００１０】
また、上記の光脱臭装置は、送風を行う送風部をさらに備え、前記送風部における送風方向の上流側に前記第１の光源、下流側に前記第２の光源が配置されていてもよい。この場合、送風部からの送風によって、ＶＵＶ光の照射により生成空間において生成されたオゾンを、ＤＵＶ光の到達空間に移動させることができる。したがって、効果的にオゾンを分解することができる。
【００１１】
さらに、上記の光脱臭装置は、前記第１の光源および前記第２の光源を収容する筐体と、前記筐体外に存在する気体を前記筐体内に吸入するための吸入口と、前記筐体内の気体を前記筐体外に排出するための排出口と、前記筐体内において前記吸入口から前記排出口まで気体を流通させる気体流通部と、を備え、前記第１の光源および前記第２の光源は、前記気体流通部における気体の流通方向の上流側に前記第１の光源、下流側に前記第２の光源が位置するように、前記筐体内に配置されていてもよい。
この場合、臭気の原因物質を含む被処理気体を筐体内に取り込み、当該筐体内において脱臭処理およびオゾンの分解処理を行い、処理済気体を筐体から排出することができる。ここで、上記処理済気体は、脱臭処理済の気体であり、オゾンを含まない気体である。したがって、この光脱臭装置を処理室内に生物が存在する状態で使用した場合であっても、当該生物がオゾンの影響を受けることはない。
【００１２】
また、上記の光脱臭装置は、前記筐体内に形成され、前記吸入口と連通する第１の空間と、前記筐体内に形成され、前記第１の空間および前記排出口とそれぞれ連通する第２の空間と、を備え、前記気体流通部は、前記第１の空間内に配置され、前記吸入口から前記気体を吸入して前記第２の空間へ送風する送風部であり、前記第１の光源および前記第２の光源は、前記送風部における送風方向の上流側に前記第１の光源、下流側に前記第２の光源が位置するように、前記第２の空間内に配置されていてもよい。
この場合、送風部からの送風によって、ＶＵＶ光の照射により生成空間において生成されたオゾンを、ＤＵＶ光の到達空間に移動させることができる。したがって、効果的にオゾンを分解することができる。
【００１３】
さらに、本発明に係る光脱臭方法の一態様は、臭気の原因物質を含む被処理気体に紫外線を照射し、前記臭気の原因物質を除去する光脱臭方法であって、前記被処理気体に真空紫外光を照射し、前記臭気の原因物質を分解する１重項酸素原子を生成する工程と、前記１重項酸素原子の生成空間の外部であって、前記生成空間に空間的に接続された外部空間の少なくとも一部に、前記真空紫外光を含まない深紫外光を照射する工程と、を含む。
このように、真空紫外光（ＶＵＶ光）により１重項酸素原子（Ｏ（１Ｄ））を生成するので、オゾンよりも臭気の原因物質を効果的に分解可能なＯ（１Ｄ）を用いた適切な脱臭処理が可能である。また、Ｏ（１Ｄ）の生成空間において生成されたオゾンについては、Ｏ（１Ｄ）の生成空間の外部空間において、ＤＵＶ光が照射されることにより分解することができる。したがって、処理室内に動物等の生物が存在している場合であっても、当該生物へのオゾンの悪影響を低減しつつ処理室内の臭気を除去することが可能である。
【００１４】
また、上記の光脱臭方法は、前記１重項酸素原子を生成する工程と、前記深紫外光を照射する工程とを、同時に行ってもよい。この場合、オゾンを分解しながらＯ（１Ｄ）による脱臭処理を行うことができる。
【発明の効果】
【００１５】
本発明によれば、処理室内に動物等の生物が存在している場合であっても、当該生物へのオゾンの悪影響を低減しつつ処理室内の臭気を除去することができる。
【図面の簡単な説明】
【００１６】
【図１】第一の実施形態における光脱臭装置の概略構成図である。
【図２】第二の実施形態における光脱臭装置の概略構成図である。
【図３】第一の実施形態における光脱臭装置の具体的構成を示す図である。
【発明を実施するための形態】
【００１７】
以下、本発明の実施形態を図面に基づいて説明する。
（第一の実施形態）
図１は、本実施形態における光脱臭装置１００の概略構成図である。
光脱臭装置１００は、紫外線照射式の脱臭装置であり、臭気の原因物質を有する被処理気体が存在する処理室内に配置される。この光脱臭装置１００は、ＶＵＶ光（真空紫外光：波長２００ｎｍ以下）を含む光を外部に放出する第１の光照射装置１０と、ＤＵＶ光（深紫外光：波長３００ｎｍ以下）を含み、ＶＵＶ光を含まない光を外部に放出する第２の光照射装置２０と、を有する。
【００１８】
第１の光照射装置１０は、ＶＵＶ光源１１と、反射ミラー（反射部材）１２と、を備える。ＶＵＶ光源１１は、例えば、波長１７２ｎｍのＶＵＶ光を放出するＸｅエキシマランプとすることができる。反射ミラー１２は、ＶＵＶ光源１１から放出されるＶＵＶ光を外部に向けて反射するＶＵＶ反射ミラーである。
【００１９】
第２の光照射装置２０は、ＤＵＶ光源２１と、反射ミラー（反射部材）２２と、を備える。ＤＵＶ光源２１は、ＤＵＶ光を含み、ＶＵＶ光を含まない光を放出する光源である。ＤＵＶ光源２１は、例えば、中心波長２３０ｎｍのＤＵＶ光を放出する希ガス蛍光ランプとすることができる。反射ミラー２２は、ＤＵＶ光源２１から放出されるＤＵＶ光を外部に向けて反射するＤＵＶ反射ミラーである。
なお、図１において、ＶＵＶ光源１１およびＤＵＶ光源２１へ給電する給電手段は省略している。
【００２０】
第１の光照射装置１０において、ＶＵＶ光源１１が発光すると、臭気の原因物質を含む被処理気体（例えば、大気）に波長１７２ｎｍの光が照射される。波長１７５ｎｍ以下のＶＵＶ光によれば、以下の反応式により、大気中の酸素から、反応性の高い励起状態の酸素原子（１重項酸素原子）Ｏ（１Ｄ）が直接生成される。
Ｏ２＋ｈν（＜１７５ｎｍ）→Ｏ（１Ｄ）＋Ｏ（３Ｐ）  ………（１）
ここで、ｈνは光、括弧内の数値は波長、（３Ｐ）は基底状態の原子、（１Ｄ）は励起状態の原子を示す。
つまり、ＶＵＶ光源１１近傍において、臭気の原因物質の分解に大きく寄与するＯ（１Ｄ）が生成される。
【００２１】
また、上記（１）式により生成された３重項酸素原子（Ｏ（３Ｐ））の一部は、以下の反応式により、オゾン（Ｏ３）となる。
Ｏ２＋Ｏ（３Ｐ）＋Ｍ→Ｏ３  ………（２）
ここで、Ｍは周囲媒体を示す。
【００２２】
ここで、臭気の原因物質が、例えばアンモニア（ＮＨ３）である場合、ＮＨ３は、上記（１）式により生成されたＯ（１Ｄ）と反応することで分解されると考えられる。
ＮＨ３＋Ｏ（１Ｄ）→  ＮＯＸ＋Ｈ２Ｏ  ………（３）
なお、上記（３）式において、各分子の個数を示す係数は省略してある。
【００２３】
さらに、大気中の水分とＶＵＶ光との反応により、結果的に窒素酸化物（ＮＯＸ）から硝酸（ＨＮＯ３）が生成されると考えられる。
Ｈ２Ｏ＋ｈν（＜１７５ｎｍ）→ ＯＨ＋Ｈ  ………（４）
ＮＯＸ＋ＯＨ → ＨＮＯ３  ………（５）
【００２４】
ところで、上記（１）式に示すような、波長１７５ｎｍ以下（例えば、１７２ｎｍ）のＶＵＶ光の酸素による吸収は大きく、大気中におけるＶＵＶ光の光到達距離は、ＶＵＶ光を放出するＶＵＶ光源１１から数ｃｍ程度にすぎない。つまり、ＶＵＶ光源１１から数ｃｍ程度の範囲が、ＶＵＶ光が到達する到達空間１３となり、そのＶＵＶ光の到達空間１３が、Ｏ（１Ｄ）の生成空間となる。なお、Ｏ（１Ｄ）は寿命が短く、ＶＵＶ光の到達空間１３（Ｏ（１Ｄ）の生成空間）外に拡散することはない。
【００２５】
一方、オゾンが分解するまでの寿命は比較的長い。そのため、上記（２）式によりＶＵＶ光の到達空間１３において生成されたオゾンは、ＶＵＶ光の到達空間１３外に拡散する。ここで、オゾンの拡散距離は、数ｍ程度にも及ぶ。このオゾンは、処理室（飼育室）内の生物（動物）に悪影響を及ぼすおそれがある。
そこで、本実施形態における光脱臭装置１００は、第２の光照射装置２０から放出されるＤＵＶ光によって、第１の光照射装置１０のＶＵＶ光の到達空間１３外の外部空間１４に浮遊するオゾンを分解するように構成されている。ここで、当該外部空間１４は、Ｏ（１Ｄ）の生成空間であるＶＵＶ光の到達空間１３に空間的に接続された空間である。
【００２６】
ＤＵＶ光（例えば、波長２３０ｎｍ）がオゾンに照射されると、下記（６）式に示す反応式により、オゾンが分解される。
Ｏ３＋ｈν（２３０ｎｍ）→Ｏ２＋Ｏ（１Ｄ）  ………（６）
したがって、第１の光照射装置１０から放出されるＶＵＶ光の到達空間１３外に浮遊するオゾンに対して、第２光照射装置２０から放出されるＤＵＶ光を照射して当該オゾンを分解することにより、処理室（飼育室）内のオゾン濃度を低下させることができる。その結果、オゾンが処理室（飼育室）内の生物（動物）へ及ぼす悪影響を著しく低減することが可能となる。
【００２７】
具体的には、ＶＵＶ光源１１およびＤＵＶ光源２１は、ＶＵＶ光の到達空間１３であるＯ（１Ｄ）の生成空間外の外部空間１４の少なくとも一部が、ＤＵＶ光の到達空間２３に含まれるように配置する。ここで、ＤＵＶ光は、酸素による減衰がほとんどないので、比較的長い距離まで到達することができる。このとき、反射ミラー１２および２２によって、ＶＵＶ光の到達空間１３とＤＵＶ光の到達空間２３との位置関係を形成することで、適切に外部空間１４に浮遊するオゾンにＤＵＶ光を照射することができる。
このように、光脱臭装置１００は、ＶＵＶ光の到達空間１３（Ｏ（１Ｄ）の生成空間）を、被処理気体の臭気の原因物質を分解する脱臭空間とし、ＤＵＶ光の到達空間２３に含まれる外部空間１４を、オゾンの分解空間とする。そして、光脱臭装置１００は、オゾンを分解しながら脱臭処理を行う。つまり、光脱臭装置１００は、Ｏ（１Ｄ）を生成して被処理気体の臭気の原因物質を分解する脱臭工程と、ＤＵＶ光を照射してオゾンを分解するオゾン分解工程とを、同時に行う。
【００２８】
なお、上記（６）式に示すように、ＤＵＶ光がオゾンに照射されることでもＯ（１Ｄ）は生成される。つまり、ＶＵＶ光の到達空間１３外の外部空間１４においても、Ｏ（１Ｄ）は生成される。しかしながら、この外部空間１４において生成されるＯ（１Ｄ）の濃度は、ＶＵＶ光の到達空間１３内において生成されるＯ（１Ｄ）の濃度と比較して桁違いに低い。したがって、本実施形態では、ＶＵＶ光の到達空間１３（Ｏ（１Ｄ）の生成空間）を、被処理気体の臭気の原因物質を分解する脱臭空間として設定する。
【００２９】
ところで、第１の光照射装置１０によるＶＵＶ光照射によってＶＵＶ光の到達空間１３内で生成されるオゾンは、できるだけ広範囲に拡散する前に分解することが好ましい。よって、ＤＵＶ光は、ＶＵＶ光の到達空間１３近傍の外部空間１４へ照射することが好ましい。つまり、ＤＵＶ光の到達空間２３は、ＶＵＶ光の到達空間１３と近接していることが好ましい。
また、このとき、ＤＵＶ光の到達空間２３は、ＶＵＶ光の到達空間１３と重ならない（接しない）ことが好ましい。
【００３０】
例えば、波長２００〜２３０ｎｍのＤＵＶ光によれば、次式に示す反応が起こり得る。
Ｏ２＋ｈν（２００〜２３０ｎｍ）→Ｏ（３Ｐ）＋Ｏ（３Ｐ）  ………（７）
ＤＵＶ光の到達空間２３がＶＵＶ光の到達空間１３と重なっている場合、上記（７）式のＤＵＶ光の反応により、ＶＵＶ光の到達空間１３内の酸素が使われてしまう。そのため、上記（１）式に示すＶＵＶ光の反応によるＶＵＶ光の到達空間１３内におけるＯ（１Ｄ）の生成量が減少し、結果的に臭気の原因物質の分解性能が低下してしまうおそれがある。したがって、ＤＵＶ光の到達空間２３は、ＶＵＶ光の到達空間１３と重ならない（接しない）ことが好ましい。
なお、この場合、ＶＵＶ光の到達空間１３とＤＵＶ光の到達空間２３とを区画する区画部材を設けてもよい。
【００３１】
以上説明したように、本実施形態における光脱臭装置１００は、臭気の原因物質を含む被処理気体に紫外線を照射し、当該臭気の原因物質を除去する紫外線照射式の光脱臭装置である。光脱臭装置１００は、真空紫外光（ＶＵＶ光）を発光する第１の光源としてのＶＵＶ光源１１と、ＶＵＶ光を含まない深紫外光（ＤＵＶ光）を発光する第２の光源としてのＤＵＶ光源２１と、を備える。そして、ＶＵＶ光源１１およびＤＵＶ光源２１は、ＶＵＶ光の到達空間１３の外部であって、ＶＵＶ光の到達空間１３に空間的に接続された外部空間１４の少なくとも一部が、ＤＵＶ光源２１から放出される光が到達する到達空間２３に含まれるように配置されている。ここで、ＶＵＶ光の到達空間１３は、ＶＵＶ光源１１から放出される光によって臭気の原因物質を分解する１重項酸素原子（Ｏ（１Ｄ））が生成される生成空間である。
【００３２】
このような構成により、光脱臭装置１００は、オゾンよりも臭気の原因物質を効果的に分解可能なＯ（１Ｄ）を用いて、適切に脱臭処理を行うことができる。また、Ｏ（１Ｄ）の生成空間においてＶＵＶ光によりオゾンが生成されるが、当該オゾンについては、Ｏ（１Ｄ）の生成空間の外部空間１４においてＤＵＶ光が照射されることにより分解することができる。
このように、光脱臭装置１００は、オゾンを分解しながらＯ（１Ｄ）による脱臭処理を行うことができる。つまり、処理室内が高濃度のオゾンで充満されることがない。したがって、処理室内に動物等の生物が存在している場合であっても、当該生物へのオゾンの悪影響を低減しつつ処理室内の臭気を除去することが可能である。
【００３３】
ここで、ＶＵＶ光は、波長１７５ｎｍ以下の光であることが好ましい。波長１７５ｎｍ以下のＶＵＶ光を、酸素を含む空間に照射することで、当該空間に効率良くＯ（１Ｄ）を生成することができるためである。
【００３４】
（第二の実施形態）
次に、本発明の第二の実施形態について説明する。
この第二の実施形態では、光脱臭装置が、ＶＵＶ光の照射により生成されたオゾンをＤＵＶ光の到達空間に移動させるための送風手段を備える場合について説明する。
図２は、本実施形態における光脱臭装置１００Ａの概略構成図である。この図２において、上述した図１の光脱臭装置１００と同様の構成を有する部分には、図１と同一符号を付し、以下、構成の異なる部分を中心に説明する。
【００３５】
光脱臭装置１００Ａは、送風部３０を備える。送風部３０は、例えばファンを有し、ＤＵＶ光の到達空間２３へ向けて風を送る。具体的には、送風部３０の送風方向は、外部空間１４、ＤＵＶ光の到達空間２３の順に横断する方向である。つまり、光脱臭装置１００Ａは、送風部３０の送風方向の上流側にＶＵＶ光源１１、下流側にＤＵＶ光源１２が配置された構成を有する。
なお、図２において、ＶＵＶ光源１１およびＤＵＶ光源２１へ給電する給電手段、ならびに送風部３０へ給電する給電手段は省略している。
【００３６】
このような構成により、送風部３０は、第１の光照射装置１０におけるＶＵＶ光の到達空間１３外の外部空間１４に浮遊するオゾンを、ＤＵＶ光の到達空間２３に移動させることができる。
したがって、この光脱臭装置１００Ａにおいては、ＶＵＶ光の到達空間１３外に存在するオゾンに、適切に第２の光照射装置２０からのＤＵＶ光が照射されるようにすることができる。その結果、より適切にオゾンを分解することができる。
【００３７】
なお、本実施形態においては、上述したように、外部空間１４に浮遊するオゾンを送風手段によりＤＵＶ光の到達空間２３へ移動させることができる。そのため、ＶＵＶ光の到達空間１３とＤＵＶ光の到達空間２３との位置関係を形成するための反射ミラー１２および２２は、必ずしも設けられている必要はない。
【００３８】
図３は、光脱臭装置１００Ａの具体的構成を示す図である。
ここでは、光脱臭装置１００Ａが、生物（動物）が存在している処理室内（飼育室内）に設置され、処理室内の空気（被処理気体Ｇ１）の異臭の原因物質を分解する場合について説明する。
光脱臭装置１００Ａは、筐体４０を備える。筐体４０は、開口部４１ａを有する区画壁４１によって、第１の空間４２と第２の空間４３とに区画されている。つまり、筐体４０において、第１の空間４２と第２の空間４３とは、区画壁４１に設けられた開口部４１ａによって空間的に接続されている。
【００３９】
第１の空間４２は、第２の空間４３へ被処理気体Ｇ１を導入するための気体導入室である。この気体導入室４２には、筐体４０外に存在する気体（処理室（飼育室）に存在する臭気の原因物質を含む被処理気体Ｇ１）を気体導入室４２に吸入するための吸入口４４が設けられている。
気体導入室４２の内部には、送風部３０が配置されており、被処理気体Ｇ１は、送風部３０によって処理室（飼育室）から気体導入室４２へ導入される。送風部３０から排出される被処理気体Ｇ１は、開口部４１ａを介して第２の空間４３へ送風される。
【００４０】
第２の空間４３は、気体導入室４２から被処理気体Ｇ１が導入され、当該被処理気体Ｇ１に含まれる異臭の原因物質を光照射処理により分解するための脱臭処理室である。この脱臭処理室４３には、光照射処理された処理済気体Ｇ２を排出するための排出口４５が設けられている。
脱臭処理室４３の内部には、開口部４１ａに近い側から順に、第１の光照射装置１０のＶＵＶ光源１１、第２の光照射装置２０のＤＵＶ光源２１が配置される。すなわち、送風部３０から送風される空気の送風方向の上流側にＶＵＶ光源１１、下流側にＤＵＶ光源２１が配置される。
なお、図３において、ＶＵＶ光源１１およびＤＵＶ光源２１へ給電する給電手段、ならびに送風部３０へ給電する給電手段は省略している。
【００４１】
送風部３０によって開口部４１から脱臭処理室４３内に導入された異臭の原因物質を含む被処理気体Ｇ１は、ＶＵＶ光源１１を包囲するＶＵＶ光の到達空間１３に進入し、ＶＵＶ光が照射され、異臭の原因物質が分解される。ここで、異臭の原因物質がアンモニアの場合、ＶＵＶ光の照射により、当該アンモニアが分解される。またこのとき、ＶＵＶ光の到達空間１３においては、オゾンが生成される。
【００４２】
ＶＵＶ光の到達空間１３において生成されたオゾンは、ＶＵＶ光の到達空間１３外に浮遊し、送風部３０の送風作用により、ＤＵＶ光の到達空間２３に移動する。ＤＵＶ光の到達空間２３に到達したオゾンは、ＤＵＶ光源２１から放出されたＤＵＶ光が照射されることで、分解される。
なお、分解処理対象であるオゾンを確実にＤＵＶ光の到達空間２３に移動させるために、ＶＵＶ光源１１とＤＵＶ光源２１との間にスリット部材を設け、オゾンを含む気体の移動経路を絞るようにしてもよい。
【００４３】
そして、脱臭処理室４３内で脱臭、オゾン分解された処理済気体Ｇ２は、排出口４５から光脱臭装置１００Ａ外部の処理室内（飼育室内）へ排出される。
このように、送風部３０は、筐体４０内において吸入口４４から排出口４５まで気体を流通させる気体流通部として機能する。ただし、気体流通部の構成は上記に限定されるものではない。例えば、筐体４０外における排出口４５の近傍に、筐体４０内の気体を吸気する機構を設けてもよい。この場合にも、筐体４０内において吸入口４４から排出口４５まで気体を流通させることができる。
【００４４】
以上のように、光脱臭装置１００Ａは、処理室（飼育室）から筐体４０内へ、臭気の原因物質を含む被処理気体Ｇ１を取り込み、臭気の原因物質を光照射処理により分解する。このとき、光脱臭装置１００Ａは、ＶＵＶ光の照射により生成されるＯ（１Ｄ）を利用して臭気の原因物質を分解するので、適切な脱臭処理が可能である。また、光脱臭装置１００Ａは、当該脱臭処理を行いつつ、筐体４０内で脱臭プロセスの副次物であるオゾンを分解する機能を有する。そして、光脱臭装置１００Ａは、脱臭処理およびオゾンの分解処理を行った後の処理済気体Ｇ２を、筐体４０外である処理室（飼育室）へ排出する。
このように、光脱臭装置１００Ａは、処理室（飼育室）内にオゾンを浮遊させることなく、処理室（飼育室）内の脱臭を行うことができる。したがって、処理室（飼育室）内に生物（動物）が存在していても、当該生物（動物）がオゾンの影響を受けることがなく、処理室（飼育室）内の臭気を適切に除去することができる。
【００４５】
なお、光脱臭装置１００Ａは、気体導入室４２内の異臭の原因物質の濃度を測定する異臭原因物質センサ５１を備えていてもよい。この場合、臭原因物質センサ５１は、当該センサ５１のセンシング部が気体導入室４２内に露出するように設けられる。異臭原因物質センサ５１のセンシング結果により、処理室内の臭気レベルを把握することができるので、例えば不図示の制御装置が、異臭原因物質センサ５１のセンシング結果をもとに光脱臭装置１００Ａの運転のＯＮ／ＯＦＦ制御を行うことも可能となる。
【００４６】
また、光脱臭装置１００Ａは、脱臭処理室４３内のオゾン濃度を測定するオゾンセンサ５２を備えていてもよい。この場合、オゾンセンサ５２は、当該センサ５２のセンシング部が脱臭処理室４３内に露出するように設けられる。オゾンセンサ５２のセンシング結果により、脱臭処理室４３内のオゾン濃度を把握することができるので、例えば不図示の制御装置が、オゾンセンサ５２のセンシング結果をもとにＤＵＶ光源２１に供給される電力量を制御することも可能となる。また、脱臭処理室４３内のオゾン濃度が予め設定した閾値以上である場合、制御装置が、脱臭処理室４３においてオゾン分解が適切に行われていないと判断して、光脱臭装置１００Ａの作動を停止するようにしてもよい。
【００４７】
さらに、光脱臭装置１００Ａは、ＤＵＶ光源２１の異常を検知するための異常検知手段を備えていてもよい。例えば、異常検知手段は、ＤＵＶ光源２１が放出する光をセンシングするセンサや、ＤＵＶ光源２１に供給される電力量を検知するセンサ等であってもよい。この場合、ＤＵＶ光源２１が、何らかの原因により正常に点灯しないような異常を検知することができる。これにより、ＤＵＶ光源２１の異常を検知した場合には、光脱臭装置１００Ａの作動を停止し、脱臭処理により生成されたオゾンが処理室内に排出されてしまうことを防止することも可能となる。
【００４８】
なお、上記実施形態においては、異臭の原因物質としてアンモニアの例を示したが、これに限るものではない。例えば、異臭の原因物質は、Ｏ（１Ｄ）と反応して分解される物質であればよい。
【符号の説明】
【００４９】
１０…第１の光照射装置、１１…ＶＵＶ光源、１２…反射ミラー、１３…ＶＵＶ光到達空間、１４…外部空間、２０…第１の光照射装置、２１…ＤＵＶ光源、２２…反射ミラー、２３…ＤＵＶ到達空間、３０…送風部、４０…筐体、１００…光脱臭装置、１００Ａ…光脱臭装置
【図１】
2019076481.tif 000003
【図２】
2019076481.tif 000004
【図３】
2019076481.tif 000005